(57)【要約】【課題】  結び目を形作る結び目形成部材の着脱操作を、簡単化、迅速化し、また結び目形成部材のずれ落ちを防止し、結び目を綺麗に形作ることができるようにする。【解決手段】  帯状のネクタイ本体部１と、このネクタイ本体部１を通す結び目形成部材２とを備える。結び目形成部材２の背面部を、両側に押し開くと内方に復元してネクタイ本体部１を結び目形成部材２の内面に押し付けて圧着する左右一対の開放片３状に形成する。結び目形成部材２の内面を、ネクタイ本体部１との摩擦が大きい面状材４で形成する。【選択図】    図１
2008208488.tif 000002
【特許請求の範囲】
【請求項１】
帯状のネクタイ本体部と、このネクタイ本体部が通される結び目形成部材とを備えてなるネクタイであって、上記の結び目形成部材の背面部が、両側に押し開かれると内方に復元してネクタイ本体部を結び目形成部材の内面に押し付けて圧着する左右一対の開放片状に形成され、上記の結び目形成部材の内面がネクタイ本体部との摩擦が大きい面状材で形成されていることを特徴とするネクタイ。
【請求項２】
請求項１記載のネクタイであって、面状材がゴムシートであることを特徴とするネクタイ。
【請求項３】
請求項１又は２記載のネクタイであって、結び目形成部材の正面側に対応する内面位置に、結び目形成部材の下側のネクタイ本体部の正面位置に、えくぼ状の窪みを形作るディンプル形成部が隆起状に形成されていることを特徴とするネクタイ。
【請求項４】
請求項３記載のネクタイであって、ディンプル形成部が、結び目形成部材の正面側に対応する内面位置の中央下辺部に形成されていることを特徴とするネクタイ。
【発明の詳細な説明】
【技術分野】
【０００１】
本発明はネクタイに関し、更に詳しくはネクタイを実際に結ぶことなく、結び目を簡単、迅速、綺麗に形作ることができるよう形成したネクタイに関するものである。
【背景技術】
【０００２】
ところでネクタイは、結び慣れていないと、長さの調節や結び目を、簡単、迅速、且つ綺麗に形作ることができないことが多い。そのため従来、ネクタイを結ぶことに不慣れな人は、一度で綺麗に結ぶことができず、何度も結び直しているのが実情であった。
而してこの種の問題を解決する従来品としては、例えば特許文献１、２に記載されているものがある。
特許文献１に記載されている発明は、ネクタイの結び目を形作るホルダーに関するものである。このホルダーは、ネクタイを結んだときと同じ形になるよう、上辺が広く下辺が狭くなっており、上辺は２重になるネクタイの幅と厚みに適合し、下辺はネクタイの幅より狭くなっている。そしてこの従来品は、ホルダーをネクタイに巻き付けてボタンで止め付けたり、ホルダーにネクタイを通し、ホルダーの下辺周りに収納したゴム紐の収縮力でネクタイに取り付けて使用するものであった。
而してこの従来品のように、ホルダーをネクタイに巻き付けた後、喉元（襟元）でボタン掛けすることは難しく、またホルダーの下辺周りにゴム紐を収納する場合は、ホルダーのずれ落ちを防止することができても、ゴム紐によってホルダーの下辺が収縮し、ホルダーの形が崩れて綺麗な結び目を形作ることができない、という問題点があった。
【０００３】
また特許文献２に記載されている発明は、通常のネクタイより結び目に必要な長さだけ短いネクタイ本体部と、このネクタイ本体部に着脱する結び目部とで形成されている。この従来品は、結び目部に、押え蓋を兼ねた結び目後方部が設けられ、ネクタイを通した後、この結び目後方部を閉めることにより、ネクタイ本体部の位置ずれを防止できるように形成されている。
而してこの従来品は、結び目後方部が、結び目部の内側上部の横軸を中心に、結び目部の後側に被さるよう、上下回動する構造であった。従ってこの従来品によると、ネクタイを締めたり、外すとき、結び目後方部を開閉操作しなければならない、という煩わしさがあり、またこの種の操作を、喉元（襟元）で行なう必要があるため、操作が難しく、使い勝手が悪い、という問題点があった。
【特許文献１】特開平９−１５７９２０号公報
【特許文献２】特開２０００−１３６４１２号公報
【発明の開示】
【発明が解決しようとする課題】
【０００４】
本発明は、このような従来の実情に鑑み、提案されたものである。
従って本発明の解決しようとする技術的課題は、結び目を形作る結び目形成部材の着脱操作を、簡単化、迅速化でき、また結び目形成部材のずれ落ちを防止でき、結び目を綺麗に形作ることができるよう形成した、使い勝手の良いネクタイを提供することにある。
【課題を解決するための手段】
【０００５】
本発明は、上記の課題を解決するため、次のような技術的手段を採る。
即ち本発明は、図１等に示されるように、帯状のネクタイ本体部１と、このネクタイ本体部１が通される結び目形成部材２とを備えてなるネクタイであって、上記の結び目形成部材２の背面部が、両側に押し開かれると内方に復元してネクタイ本体部１を結び目形成部材２の内面に押し付けて圧着する左右一対の開放片３状に形成され、上記の結び目形成部材２の内面がネクタイ本体部１との摩擦が大きい面状材４で形成されていることを特徴とする（請求項１）。
【０００６】
本発明の場合、結び目形成部材２は、通常、復元性を有する合成樹脂材や皮革、或いは金属材等で形成され、この種の材質の復元性を利用して背面部の開閉動作が可能になるよう形成される。
而して結び目形成部材２は、その内面の全面が面状材４で形成される場合には限定されない。即ち、結び目形成部材２の内面は、結び目形成部材２の正面側に対応する内面位置だけ面状材４で形成されるなど、部分的に形成されているのでも良い。
【０００７】
また本発明の場合、面状材４は、ゴムシートであるのが好ましい（請求項２）。
なぜならこれによると、結び目形成部材２の内面に貼付することで、簡単且つ低コストで、しかも確実に結び目形成部材２の内面を、摩擦が大きな状態に形成することができるからである。
【０００８】
また本発明は、図７〜図１０に示されるように、結び目形成部材２の正面側に対応する内面位置に、結び目形成部材２の下側のネクタイ本体部１の正面位置に、えくぼ状の窪み６を形作るディンプル形成部７が隆起状に形成されているのが好ましい（請求項３）。
なぜならこれによると、ネクタイ本体部１に、えくぼ状の窪み６（ディンプル）を、簡単且つ確実に形成でき、結び目を綺麗に見せることができるからである。
【０００９】
この場合、ディンプル形成部７は、図１０に示されるように、結び目形成部材２の縦方向に延びて、例えば縦方向の全長にわたって形成されているのでも良いが、好ましくは図７、図９に示されるように、結び目形成部材２の正面側に対応する内面位置の中央下辺部に形成されているのが良い（請求項４）。
なぜならこれによると、結び目形成部材２内におけるディンプル形成部７の占有面積を小さくでき、結び目形成部材２内にネクタイ本体部１を収納させ易いからである。
【発明の効果】
【００１０】
本発明は、このように構成されているから、結び目形成部材の背面部の開放片を手指で押し開いてネクタイ本体部を結び目形成部材に差し入れ、開放片に加えている手指の力を抜くことで開放片を復元させ、ネクタイ本体部に結び目形成部材を装着させることができる。
従って本発明によると、結び目形成部材をネクタイ本体部に、簡単且つ迅速に着脱でき、使い勝手が良くなるものである。
また本発明は、結び目形成部材の内面が、ネクタイ本体部との摩擦が大きい面状材で形成されている。従ってこれによると、開放片による圧着力と共に、面状材の摩擦力によって、結び目形成部材のずれ落ちを防止でき、結び目を綺麗な状態に維持できる。
【発明を実施するための最良の形態】
【００１１】
以下、本発明を実施するための最良の形態を説明する。
本発明は、図１等に示されるように、帯状のネクタイ本体部１と、このネクタイ本体部１が通される結び目形成部材２とを備えてなるネクタイである。本発明のネクタイ本体部１は、結び目を作るために必要な長さだけ、短く形成されている。
【００１２】
また結び目形成部材２の背面部は、両側に押し開かれると内方に復元してネクタイ本体部１を結び目形成部材２の内面に押し付けて圧着する左右一対の開放片３状に形成されている。結び目形成部材２は、本実施形態では復元性を有する合成樹脂材で形成され、この合成樹脂材の復元性で背面部が開閉自在に形成されている。背面部の開放片３は、この実施形態では内側に湾曲され、重合されている。また結び目形成部材２は、ネクタイを実際に結んだときと同じ形になるよう、上辺部２ａは長く下辺部２ｂは短く形成され、上辺部２ａの開口面積が、二重になるネクタイ本体部１の幅と厚みに適合するよう、また下辺部２ｂの左右方向の長さはネクタイ本体部１の幅より短くなるよう形成されている。
【００１３】
また結び目形成部材２の内面は、ネクタイ本体部１との摩擦が大きい面状材４で形成されている。この面状材４は、この実施形態ではゴムシートで形成され、結び目形成部材２の内面の全面に貼られている。なお５は、結び目形成部材２の正面側の中央に固定されている装飾品である。この装飾品５は、例えば宝石や貴金属、或いは家紋などを施した金属材等の小片で形成されている。
【００１４】
次に本発明品の使用例を説明する。
先ず使用者は、左右一対状の開放片３を手指で外側に押し開き、ネクタイ本体部１を、結び目形成部材２の背面側にできる隙間から、結び目形成部材２内に入れ、結び目形成部材２に通す。
次に使用者は、結び目形成部材２を喉元（襟元）まで上げ、開放片３から手指を離す。すると開放片３が復元し、ネクタイ本体部１を、結び目形成部材２の内面に押し付けて圧着する。本発明の場合、結び目形成部材２の内面は、面状材４で滑りが防止されている。従って結び目形成部材２は、開放片３の圧着力と、面状材４の摩擦力とで、ずれ落ちが防止される。
【００１５】
以上の処において、本発明の場合、結び目形成部材２は、結び目を形作ることができる形状であれば良く、従って図４〜図６に示されるように、背面部を含め、デザインは任意である。また本発明の場合、左右の開放片３は、ネクタイ本体部１を、しっかり、確実に押え付けることができるよう、通常、重合状に形成されるが、これに限定されるものではない。また開放片３は、例えばバネの復元力で復元可能に形成されているのでも良い。
【００１６】
また本発明は、図７〜図１０に示されるように、結び目形成部材２の正面側に対応する内面位置に、結び目形成部材２の下側のネクタイ本体部１の正面位置に、えくぼ状の窪み６を形成するディンプル形成部７が、隆起状に形成されているのでも良い。
【００１７】
図７に示されるディンプル形成部７は、正面視で縦長の楕円状に形成されている。またこの実施形態のディンプル形成部７は、結び目形成部材２の正面側に対応する内面位置の中央下辺部に形成されている。
【００１８】
また図９に示される実施形態は、ディンプル形成部７が、結び目形成部材２の正面側に対応する内面位置の中央下辺部に、正面視で二等辺三角形状に形成されている。そしてこのディンプル形成部７は、同図に示されるように、下方に向かって次第に内方に隆起する状態に形成され、三角形状の綺麗な窪み６を作ることができるよう形成されている。
【００１９】
また図１０に示される実施形態は、ディンプル形成部７が、結び目形成部材２の左右方向の中央部に、結び目形成部材２の、例えば縦方向の全長にわたって形成されている例である。このディンプル形成部７は、この実施形態では横断面が半円形状であるが、横断面形状はその他、例えば楕円形や三角形等、任意である。
【００２０】
而してこのようにディンプル形成部７が、結び目形成部材２の内面に形成される場合は、図７、図８等に示されるように、えくぼ状の窪み６を、結び目形成部材２の下側のネクタイ本体部１の正面位置に形作ることができ、ネクタイの結び目を、より一層綺麗に見せることができる。
【図面の簡単な説明】
【００２１】
【図１】本発明のネクタイの好適な一実施形態を示し、Ａは要部正面図、Ｂは要部背面図、Ｃは要部平面図である。
【図２】同上ネクタイの使用状態を示す要部正面図である。
【図３】図２のＩＩＩ−ＩＩＩ線における断面図である。
【図４】結び目形成部材の他の実施形態を示す背面から見た斜視図である。
【図５】結び目形成部材の他の実施形態を示す正面上側から見た斜視図である。
【図６】結び目形成部材の他の実施形態を示す背面下側から見た斜視図である。
【図７】結び目形成部材の他の実施形態を示す使用状態時の要部正面図である。
【図８】図７のＶＩＩＩ−ＶＩＩＩ線における断面図である。
【図９】結び目形成部材の他の実施形態を示し、Ａは正面図、ＢはＡのＢ−Ｂ線断面図、Ｃは平面図である。
【図１０】結び目形成部材の更に他の実施形態を示し、Ａは正面図、ＢはＡのＢ−Ｂ線断面図、Ｃは平面図である。
【符号の説明】
【００２２】
１      ネクタイ本体部
２      結び目形成部材
３      開放片
４      面状材
５      装飾品
６      窪み
７      ディンプル形成部
【図１】
2008208488.tif 000003
【図２】
2008208488.tif 000004
【図３】
2008208488.tif 000005
【図４】
2008208488.tif 000006
【図５】
2008208488.tif 000007
【図６】
2008208488.tif 000008
【図７】
2008208488.tif 000009
【図８】
2008208488.tif 000010
【図９】
2008208488.tif 000011
【図１０】
2008208488.tif 000012